(57)【要約】      （修正有）【課題】引出しパネルを調整し、弾性引き外し部品と共に横規制部品及び縦規制部品を取り付け、簡単に取り外しや組み付けができる、引出しパネルの調整装置を提供する。【解決手段】引出しパネルの調整装置は、引出し側部に取り付けられた固定枠２と、固定枠上に組み付けられた調整ブラケット１を有する。横規制部品と調整ブラケットにより、引出しパネルの可撓接続が可能となる。横規制部品に対応する縦規制部品と弾性引き外し部品は、調整ブラケット上に取り付けられる。ジョインター３１の水平位置の制御用調整ねじ及び回転時のジョインターの鉛直高さの制御用調整リベット４２を実現可能とする、横及び縦規制部品が調整ブラケットに取り付けられている。規制部品の実際の寸法に従ってスライドレールが取り付けられ、引出しパネルの移動を防ぎ、使用時のスライドレールの安定性を大いに向上させるよう、横及び縦規制部品が取り付けられる。【選択図】図１
0003193339.tif 000002
【実用新案登録請求の範囲】
【請求項１】
引出し側部に取り付けられた固定枠と、前記固定枠上に組み付けられた調整ブラケットとを含み、横規制部品及び前記調整ブラケットとによって引出しパネルの可撓接続を可能とする、引出しパネルの調整装置であって、前記横規制部品に対応する縦規制部品が前記調整ブラケットに取り付けられると共に、前記縦規制部品に接続されている弾性引き外し部品が取り付けられていることを特徴とする、引出しパネルの調整装置。
【請求項２】
前記横規制部品は、調整ブラケットの端部に取り付けられた、フランジ付きジョインターと、前記ジョインターの側部の調整ねじとを含み、調整ねじの端部は、ジョインターを介して前記調整ブラケットの壁を押圧することを特徴とする、請求項１に記載の調整装置。
【請求項３】
前記縦規制部品は、前記調整ブラケット上にスペーサ及び調整リベットをそれぞれ含み、前記調整リベットは、前記スペーサの前方に位置することを特徴とする、請求項１に記載の調整装置。
【請求項４】
前記スペーサは、調整ブラケットと接続するリベットも有し、前記調整リベットは偏心リベットであり、前記調整ブラケットに回転可能に取り付けられていることを特徴とする、請求項３に記載の調整装置。
【請求項５】
前記弾性引き外し部品は、スペーサと調整ブラケットの間にガイドバー及び前記ガイドバーに取り付けられたばねとを含み、前記ガイドバーは、調整ブラケットに接続され、前記ばねの一方の側はガイドバーの一端部を押圧し、他方の側は前記調整ブラケットを押圧することを特徴とする、請求項１に記載の調整装置。
【請求項６】
前記ばねの上部に、調整ブラケットとスペーサに対して整列されたばねカップが配され、ばねカップの前端部は調整ブラケットを押圧し、ガイドバーの一方の側がばねカップの前端部を介して調整ブラケットに挿入され、ばねカップの後端部がスペーサに対向することを特徴とする、請求項５に記載の調整装置。
【請求項７】
前記固定枠はＬ字形状を有し、固定枠と調整ブラケットの取り付けに締付ねじを使用することを特徴とする、請求項１に記載の調整装置。
【考案の詳細な説明】
【技術分野】
【０００１】
本実用新案は家具付属品に関し、特に引出しパネルの調整装置に関する。
【背景技術】
【０００２】
スライドレールが付いた従来の引出しは、通常、内部固定と外部固定によるスライド機構を採用している。しかしながら、この機構には技術的に重大な欠点がある。第一に、内外固定式スライド機構の加工精度及び取り付け精度の要求事項は非常に高く、スライドレールの取り付け時、寸法誤差や取り付け誤差があると、引出しパネルが移動し、閉まらなくなるという結果につながる。第二に、内外レールを安全にスライドさせるため、これらのレールは全体的に一体となっているが、引出しやスライドレールの清掃時には、内レールと外レールを外す必要がある。このような取り外し作業は非常に煩わしいため、スライド引出しのスライド機構の扱いは、製品にとって常に技術的な問題となっている。
【０００３】
中国特許（特許番号：２００６２００６６１２９．３）には、取り外し作業時に、最初に引いて次に持ち上げることで引き外し機構とする、パネルの鉛直位置を調整するための調整ねじを使用した引出しレールアセンブリが開示されている。ただしこの引出しレールアセンブリは、パネルの上下位置のみ調整可能であり、左右位置は調整できない。さらにユーザは、引出しを引く際、しばしば持ち上げる動作を行うが、引出しを引く動作により、引出しレールアセンブリのパネルが簡単に外れてしまう。従って、この点を改善する必要がある。
【考案の概要】
【考案が解決しようとする課題】
【０００４】
上述の先行技術の欠点に鑑み、本実用新案の目的は、引出しパネルを調整し、弾性引き外し部品と共に横規制部品及び縦規制部品を取り付けることで、簡単に取り外しや組み付けができる、引出しパネルの調整装置を提供することにある。
【課題を解決するための手段】
【０００５】
上記目的を達成するため、本実用新案には、以下の技術が採用されている。
引出しパネルの調整装置は、引出し側部に取り付けられた固定枠と、前記固定枠上に組み付けられた調整ブラケットとを含む。横規制部品及び調整ブラケットによって引出しパネルの可撓接続が可能となる。横規制部品に対応する縦規制部品が前記調整ブラケットに取り付けられると共に、縦規制部品に接続されている弾性引き外し部品も取り付けられている。
【０００６】
横規制部品は、調整ブラケットの端部に取り付けられたフランジ付きジョインターと、ジョインターの側部の調整ねじとを含み、調整ねじの端部は、ジョインターを介して調整ブラケットの壁を押圧することに留意すべきである。
【０００７】
縦規制部品は、調整ブラケット上にスペーサ及び調整リベットをそれぞれ含み、調整リベットは、スペーサの前方に位置することに留意すべきである。
【０００８】
スペーサは、調整ブラケットの作動ヒンジと接続するリベットも有し、調整リベットは偏心リベットであり、調整ブラケットに回転可能に取り付けられていることに留意すべきである。
【０００９】
弾性引き外し部品は、スペーサと調整ブラケットの間にガイドバー及びガイドバーに取り付けられたばねとを含み、ガイドバーは、調整ブラケットに接続され、ばねの一方の側はガイドバーの一端部を押圧し、他方の側は調整ブラケットを押圧することに留意すべきである。
【００１０】
ばねの上部に、調整ブラケットとスペーサに対して整列されたばねカップが配され、ばねカップの前端部は調整ブラケットを押圧し、ガイドバーの一方の側がばねカップの前端部を介して調整ブラケットに挿入され、ばねカップの後端部がスペーサに対向することに留意すべきである。
【００１１】
固定枠はＬ字形状を有し、固定枠と調整ブラケットの取り付けに締付ねじを使用することが望ましい。
【考案の効果】
【００１２】
本実用新案の利点は、ジョインターの水平位置の制御のための調整ねじと、回転時のジョインターの鉛直高さの制御のための調整リベットとを有する、本実用新案の調整ブラケットに取り付けられた、横規制部品と縦規制部品にある。このような部品の実際の寸法により、スライドレールの取り付けが可能となり、引出しパネルの移動を防ぎ、使用時のスライドレールの安定性を大いに向上させるよう、横及び縦の規制部品が取り付けられる。さらに、本実用新案の調整ブラケットには、引出しスライドの取り外しや使用が容易になるよう、弾性引き外し部品も取り付けられている。
【図面の簡単な説明】
【００１３】
【図１】本実用新案の構造を示す図である。
【図２】本実用新案の構造分解略図である。
【図３】本実用新案の取り付け構造図である。
【図４】図３における引出しパネルの組み付け前の構造図である。
【図５】図３における引出しパネルの組み付け後の構造図である。
【図６】本実用新案の横規制部品の調整ブラケットの組み付け前の構造図である。
【図７】本実用新案の横規制部品の調整ブラケットの組み付け後の構造図である。
【図８】ジョインターのフランジが最初にスペーサに接触する際の接続略図である。
【図９】ジョインターのフランジとスペーサとの接触後の接続略図である。
【考案を実施するための形態】
【００１４】
本実用新案を、以下の図を参照して詳細に説明する。
【００１５】
図１〜５に示すように、本実用新案は、引出し側部１３に取り付けられたＬ字形の固定枠２を含み、締付ねじにより固定枠２の調整ブラケット１に組み付けられる、引出しパネルの調整装置である。引出しパネル１２は、横規制部品３により調整ブラケット２に接続される。横規制部品３に対応する縦規制部品４が、調整ブラケット１に取り付けられている。調整ブラケット１には、弾性引き外し部品５も取り付けられている。
【００１６】
横規制部品３は、調整ブラケット端部にフランジ付きジョインター３１と、ジョインター３１の側に調整ねじ３２を含む。調整ねじ３２の端部は、ジョインター３１を介し、調整ブラケット１の壁を押圧するよう構成されている。調整ねじ３２は、ジョインター３１に対して回転可能であり、調整ブラケット１の壁の端部を押圧することで、ジョインター３１の水平位置を調整することができる。固定オリフィス３３が、引出しパネル１２に固定されるよう、ジョインター３１に取り付けられる点に留意すべきである。
【００１７】
縦規制部品４は、調整ブラケット１にスペーサ４１及び調整リベット４２をそれぞれ有する。調整リベット４２は、スペーサ４１の前方に位置する。スペーサ４１の可撓接続は、スペーサのリベット４３及び調整ブラケット１によって実現され、スペーサ４１の回転と規制機能が得られる。調整リベット４２は偏心リベットであり、調整ブラケット１に回転可能に取り付けられる。これは、調整リベット４２を回転させることで、ジョインター３１が垂直に移動するよう、スペーサ４１を制御することができる。
【００１８】
弾性引き外し部品５は、スペーサ４１と調整ブラケット１の間にガイドバー５１、そしてガイドバー５１に取り付けられたばね５２を含む。ガイドバー５１は、調整ブラケット１に接続されている。ばね５２の一方の側は、ガイドバー５１の端部を押圧し、他方の側は、調整ブラケット１を押圧する。ばね５２の上部に、調整ブラケット１とスペーサ４１に対して整列されたばねカップ５３が配されている。ばねカップ５３の前端部は、調整ブラケット１を押圧し、ばねカップ５３の前端部を介して、ガイドバー５１の一方の側が調整ブラケット１に挿入され、ばねカップ５３の後端部がスペーサ４１に対向する。スペーサ４１を調整してガイドバー５１によりばね５２を圧縮及び引き外すことで、ガイドバー５１の位置を調整できる。これは、スライドレール１５を取り外す際に便利である。
【００１９】
調整ブラケット１と引出し側部１３とが、側板の面カバー１４によって密着される点に留意すべきである。
【００２０】
図６及び７において、ジョインター３１を調整ブラケット１に挿入する前に、調整ブラケット１上のばね５２と平面から形成される組み付け角度がαであり、調整ブラケット１にジョインター３１を挿入後、スペーサ４１が、ガイドバー５１の位置調整のため押し込まれ、ばね５２が特定角度で揺動する。このとき、調整ブラケット１上のばね５２と平面から形成される組み付け角度がβである。図８において、ジョインター３１の調整ブラケット１への挿入後、フランジ３１１付きジョインター３１は、スペーサ４１に対向し、フランジ３１１の側部Ａがスペーサ４１の側部Ｂを打ち続けることでスペーサ４１に接触する。
【００２１】
図９において、スペーサ４１が強制的に内側に揺動され、スペーサの側部Ｃがフランジ３１１の側部Ｄに係止される。これによりジョインター３１が引っ張られて内側に移動する。ジョインターの存在により、結果的に移動原理に逆らう動作となることで、スペーサの側部Ｂがフランジの側部Ａを押し出す。
【００２２】
上記の技術及び設計に基づき、様々な修正や変更が可能なことは、当業者にとって自明である。このような修正や変更は、すべて本実用新案の範囲を逸脱することなく実施されうる。
【図１】
0003193339.tif 000003
【図２】
0003193339.tif 000004
【図３】
0003193339.tif 000005
【図４】
0003193339.tif 000006
【図５】
0003193339.tif 000007
【図６】
0003193339.tif 000008
【図７】
0003193339.tif 000009
【図８】
0003193339.tif 000010
【図９】
0003193339.tif 000011